(57)【要約】      （修正有）【課題】ユーザーへ撮影時の設定、また設定範囲を超えたパラメータが存在する場合、警告を確実に通知するため、パラメータ毎に通知タイミングの切り替えを行う事を可能にした撮像装置を提供する。【解決手段】フォースフィードバック機能を備える撮像装置において、撮影パラメータ設定を変更可能な手段Ｓ２０７と、撮影パラメータ設定において、警告を振動で通知する手段Ｓ２１４と、警告を振動通知するにあたって、パラメータ毎に通知するタイミングの切り替えを行う通知タイミング切り替え手段を有する。【選択図】図２
2019192046.tif 000002
【特許請求の範囲】
【請求項１】
フォースフィードバック機能（１２５）を備える撮像装置において、
撮影パラメータ設定を変更可能な手段（Ｓ２０７）と、
前記撮影パラメータ設定において、警告を振動で通知する手段（Ｓ２１４）と、
前記警告を振動通知するにあたって、パラメータ毎に通知するタイミングの切り替えを行う通知タイミング切り替え手段（Ｓ０３）を有する事を特徴とする撮像装置。
【請求項２】
請求項１に記載の撮像装置において、
撮像装置起動時に、撮影パラメータの設定の確認を行い、表示装置に警告表示されている場合に振動通知（Ｓ２１４）を行う事を特徴とする撮像装置。
【請求項３】
請求項１に記載の撮像装置において、
撮影パラメータ設定が変更された場合、警告表示が必要か確認を行い（Ｓ２０３）、警告表示必要な場合は振動通知（Ｓ２１４）を行う事を特徴とする。
【請求項４】
請求項１に記載の撮像装置において、
ＳＷ１押下時（Ｓ２０４）にフリッカ光源検知（Ｓ２０６）した場合に、振動により警告を通知（Ｓ２１４）する事を特徴とする。
【請求項５】
請求項１に記載の撮像装置において、
ＳＷ１押下時（Ｓ２０４）に高輝度、低輝度限界を判定する手段（Ｓ２０８）により、超えた場合に、振動により警告を通知（Ｓ２１４）する事を特徴とする。
【請求項６】
請求項１に記載の撮像装置において、
連続撮影、動画撮影時に温度が閾値を超えたか判定する手段（Ｓ２１１）により、超えたと判定された場合に、振動により警告を通知（Ｓ２１４）する事を特徴とする。
【発明の詳細な説明】
【技術分野】
【０００１】
本発明は、電子スチルカメラ等でフォースフィードバックを備える撮像装置に関し、特に撮影時警告、また撮影パラメータが設定範囲外の場合の警告通知の制御方法に関するものである。
【背景技術】
【０００２】
従来、撮影時の設定、主に撮影シーンに様々な表現を設定可能なピクチャースタイルの設定に対して起動時、ピクチャースタイル設定時にユーザーに対して、画面上に警告表示通知手段を有する撮像装置が存在する。
【０００３】
また、撮影時に低輝度、高輝度などの撮影パラメータが設定を超えている場合も同様に,画面上に警告表示を行う撮像装置も存在している。しかしながら、現状の画面上には様々なアイコン表示を行っており、一目見ただけでは警告表示がされているか否かが判断する事が不可能である。また、警告表示のタイミングによってはユーザーが警告に気付かずに撮影を行うという問題がある。
【０００４】
例えば、特許文献１では、濃度および色の補正をするためのカラーセンサおよびその基準板の異常発生の区別を行い、設定した閾値よりも小さい場合は異常であるとユーザーへＵＩ表示、もしくはＥ−Ｍａｉｌを送信し通知するといった発明が開示されている。
【先行技術文献】
【特許文献】
【０００５】
【特許文献１】特開２０１３−５４２４９号公報
【発明の概要】
【発明が解決しようとする課題】
【０００６】
しかしながら、上述の特許文献に開示された従来技術では、設定した閾値よりも小さい場合の異常通知を、ＵＩ表示、またＥ−Ｍａｉｌを送信するのでユーザーがＵＩ表示の通知を見逃す恐れがある。また、Ｅ−Ｍａｉｌは携帯などの端末を所持していない場合すぐに気づけない恐れがある。
【０００７】
そこで、本発明の目的は、撮影時の設定、また設定範囲を超えたパラメータが存在する場合、ユーザーへ警告を確実に通知するため、パラメータ毎に振動通知のタイミングの切り替えを行う撮像装置を提供する事である。
【課題を解決するための手段】
【０００８】
上記目的を達成するために、本発明は、フォースフィードバック機能を備える撮像装置において、撮影パラメータ設定を変更可能な手段と、前記撮影パラメータ設定において、警告を振動で通知する手段と、前記警告を振動通知するにあたって、パラメータ毎に通知するタイミングの切り替えを行う通知タイミング切り替え手段を有する事を特徴とする。
【発明の効果】
【０００９】
本発明によれば、振動通知警告をパラメータ毎に適切なタイミングで切り替える事で、警告をユーザーに確実に通知する事を可能にした撮像装置を提供する事ができる。
【図面の簡単な説明】
【００１０】
【図１】本発明の撮像装置の基本構成図である。
【図２】本発明の実施例を説明するフローチャート図である。
【図３】本発明の実施形態における、画面表示例である。
【発明を実施するための形態】
【００１１】
以下、添付の図面を参照して本発明の好適な実施形態について説明する。
【００１２】
この発明の実施形態は発明の最も好ましい形態を示すものであり、発明の範囲を限定するものではない。図１は、本発明の実施形態にかかわる撮像装置１００の概略構成図である。
【００１３】
図１において、１２５は電源であり、撮像装置１００内の各回路に電源を供給する。１０１は被写体の光学像を撮像素子１０３に結像させる撮像レンズで、レンズ駆動部１０８によってズーム制御、フォーカス制御、絞り制御などがおこなわれる。１０４は映像信号を画像信号に変換する処理部であり、その中の１０５はレンズ制御を行う時得たデータを画像に対する補正処理を行うブロックである。
【００１４】
バス１１０には、ＡＦセンサ１０７、レンズ駆動部１０８、シャッタ駆動部１０９、撮像素子１０３、タイミングジェネレータ１０６、映像信号処理部１０４、メモリ１１１、ＡＦロックスイッチ１１２、デフォーカス演算部１１３、表示制御装置１１４、接触検知部１１５、押圧検知装置１１６、ＣＰＵ１１７、カード入出力部１１８、メインスイッチ１２１、第１レリーズスイッチ１２２、第２レリーズスイッチ１２３、電源１２４、振動制御装置１２５が接続される。
【００１５】
デフォーカス演算部１１３は、ＡＦセンサ１０７から取得した画像からを各被写体のデフォーカス値を算出する装置である。そのデフォーカス値に基づいてデフォーカスマップを作成する。デフォーカスマップとは、撮像面内の複数個所におけるデフォーカス量情報をマップ化したものであり、例えば特開平１０−１６１０１３公報や特開２０００−９４３０号公報等によって開示されている方法によって得られるものである。
【００１６】
接触検知部１１５は、少なくとも１箇所に有しており、接触検知部１１５が接触していると判定した場合に、その接触している箇所をバス通してＣＰＵ１１７に通知する。例えば、接触検知部１１５を表示制御装置１１４に設置することにより、タッチパネルを構成する。なお、接触検知部１１５は、必ずしも表示制御装置１１４に設置されていなくてもよく、撮像装置１００の操作しやすい箇所に配置してもよい。
【００１７】
接触検知部１１５は、タッチパネルへの以下の操作を検出できる。
（１）タッチパネルを指やペンで触れること（いか、タッチダウンと称す）。
（２）タッチパネルを指やペンで触れている状態であること（以下、タッチオンと称す）。
（３）タッチパネルを指やペンで触れたまま移動していること（以下、ムーブと称す）。
（４）タッチパネルへ触れていた指やペンを離したこと（以下、タッチアップと称す）。
（５）タッチパネルに何も触れていない状態（以下、タッチオフと称す）。
【００１８】
接触検知部１１５は、検知したこれらの操作や、タッチパネル上に指やペンが触れている位置座標の情報をＣＰＵ１１７に通知する。そして、通知された情報に基づいてＣＰＵ１１７は、タッチパネルに対してどのような操作が行われたかを判定する。ムーブについては、タッチパネル上で移動する指やペンの移動方向についても、位置座標の変化に基づいて、タッチパネル上の垂直成分・水平成分毎に検知する。このときタッチしている対象を移動させることをドラッグと称する。また、タッチパネル上をタッチダウンから一定のムーブを経てタッチアップをしたとき、ストロークを描いたものと検出する。
【００１９】
押圧検知装置１１６はタッチパネル上に指やペンが触れている圧力を検知し、ＣＰＵ１１７に通知する。そして通知された情報に基づいてＣＰＵ１１７は、タッチパネルに対してどのような操作が行われたかを判定する。ここでは一定以上の圧力を検知することをタッチプッシュ操作と称す。ＣＰＵ１１７はタッチプッシュ操作ととともに圧力値に基づいて操作内容を変更する。圧力値としては０〜２５５のような数値であってもよいし、その分解能は制限しない。
【００２０】
ＣＰＵ１１７は、撮像素子１０３の画像信号読み出しを制御し、撮像素子１０３〜メモリ１１１の動作タイミングを制御する。また、表示制御装置１１４はメモリ１１１に表示用の画像フォーマットで配置された画像データをそれぞれの表示装置へ出力する。
【００２１】
ここでメモリ１１１に配置された表示用画像データ領域をＶＲＡＭと呼ぶ。振動制御装置１２５は、撮影時の設定、パラメータの設定限界の警告通知を、ＣＰＵ１１７より受け取り制御する。なお、本実施形態では記録媒体としてメモリカード１２０を採用しているが、その他の記録媒体、例えば、ハードディスク、光ディスク、光磁気ディスク、磁気ディスク、その他の固体メモリを使用してもよい。
【００２２】
［実施例１］
以下、本発明の実施例１について図２のフローチャートを用いて説明する。また、図３は撮像装置の表示制御装置１１４を介して表示された画面表示の一例である。これより、図３の３０１〜３０３を参照して実施例１を説明する。
【００２３】
図２のＳ２０１にて、撮像装置１００の電源が「Ｏｎ」とされたかを、ＣＰＵ１１７を介して判定する。撮像装置１００の電源が「Ｏｎ」の場合、Ｓ２０２へ進み、電源「Ｏｎ」でない場合Ｓ２０１へ進みＳ２０１の処理を繰り返す。Ｓ２０２では、Ｓ２０１で、撮像装置の１００の電源が「Ｏｎ」で、静止画像、または動画像撮影可能な「撮影モード」となっているかＣＰＵ１１７を介して判定をする。撮影モードの場合は、Ｓ２０３へ進み、それ以外のモードの場合はＳ２１３へ進む。
【００２４】
Ｓ２１３では、その他のモード処理を行った後に終了する。ここでいうその他のモードの処理とは、記録媒体１２０に保存された静止画像、動画像をＣＰＵ１１７により読み込んで、メモリ１１１に展開し、表示制御部１１４に表示する「再生モード」の事である。
【００２５】
Ｓ２０３では、電源「Ｏｎ」により、ＣＰＵ１１７を介して起動された時の撮影パラメータ設定でユーザーへ警告が必要か判定する。ユーザーへ警告が必要な撮影パラメータの設定がされていた場合Ｓ２１４へ進む、警告が必要でない場合はＳ２０４へ進む。ここでいう設定された撮影パラメータとは、例えば、撮影シーンに様々な表現を設定可能な「ピクチャースタイル」の設定についてである。例えば、「ピクチャースタイル」の設定が「モノクロ」に設定されていた場合、ユーザーが意図しない撮影設定で撮影してしまい撮影のし直しが発生される場合がある。
【００２６】
図３の３０１に撮像装置１００の表示制御装置１１４に表示されたメニュー設定の図を示す。３０２にて「ピクチャースタイル」の設定に警告表示であるエクスクラメーションマーク示す。Ｓ２０４にて、シャッタ駆動部１０９の第１シャッタースイッチ信号ＳＷ１が押下されたかをＣＰＵ１１７を介して判定する。ＳＷ１が押下された場合Ｓ２０５へ進み、ＳＷ１が押下されていない場合、Ｓ２０７へ進む。
【００２７】
Ｓ２０７にて、既に設定されている撮影パラメータが改めて変更されたかＣＰＵ１１７にて判定する。撮影パラメータが変更された場合、Ｓ２０３へ進み処理を繰り返し、撮影パラメータが変更されていない場合Ｓ２１０へ進む。Ｓ２０５にて、撮像装置１００でフリッカレス設定が「Ｏｎ」とされているかＣＰＵ１１７を介して判定する。フリッカレス設定「Ｏｎ」と判定した場合Ｓ２０６へ進み、フリッカレス設定「Ｏｎ」で無い場合はＳ２０８へ進む。ここでいうフリッカレス設定とは、蛍光灯などのちらつきの影響を少なくして撮影する機能の事をいう。
【００２８】
Ｓ２０６にて、ＣＰＵ１１７を介してフリッカレス光源検知を行ったか判定する。フリッカレス光源検知を行った場合Ｓ２１４へ進み、フリッカレス光源検知を行わなかった場合はＳ２０８へ進む。Ｓ２０８にて、撮像装置１００の輝度値がＣＰＵ１１７にて高輝度限界、低輝度限界の閾値を超えたか判定する。高輝度限界、低輝度限界の閾値を超えたと判定された場合Ｓ２１４へ進み、閾値を超えていない場合はＳ２０９へ進む。
【００２９】
Ｓ２０９にて、第１シャッタースイッチ信号ＳＷ１がＯＮした状態で第２シャッタースイッチ信号ＳＷ２がＯＮの状態を維持する、連続撮影が行われているかＣＰＵ１１７を介して判定する。連続撮影が行われている場合はＳ２１１へ進み、連続撮影でない場合はＳ２１０へ進む。Ｓ２１０にて、撮像装置１００にて動画像撮影が行われたかをＣＰＵ１１７を介して判定する。動画像撮影と判定した場合はＳ２１１へ進み、動画像撮影でないと判定した場合Ｓ２１２へ進む。
【００３０】
Ｓ２１２にて、その他の処理を行い終了する。ここでいうその他の処理とは、撮影メニューにて様々な設定の変更を行ったりすることをいう。Ｓ２１１にて、撮影中の撮像装置１００の温度が閾値以上かＣＰＵ１１７を介して判定する。温度が閾値以上の場合、Ｓ２１４へ進み、温度が閾値以下の場合Ｓ２１１へ進み処理を繰り返す。Ｓ２１４にてＣＰＵ１１７にて警告を通知され、振動制御装置１２５にて警告通知をユーザーへ行い処理を終了する。図３の３０３のように撮像装置１００を振動させることで撮影設定についての警告を通知する事を可能にする。
【００３１】
本実施例によれば、撮像装置の撮影パラメータの設定により、振動通知警告をパラメータ毎に適切なタイミングで切り替える事で、警告をユーザーに確実に通知する撮像装置を提供する事が可能となる。
【００３２】
以上、本発明の好ましい実施形態について説明したが、本発明はこれらの実施形態に限定されず、その用紙の範囲内で種々の変形及び変更が可能である。
【００３３】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３４】
１００  撮像装置本体
１０１  撮像レンズ
１０２  シャッタ
１０３  撮像素子
１０４  映像信号処理部
１０５  レンズ光学補正処理部
１０６  タイミングジェネレータ
１０７  ＡＦセンサ
１０８  レンズ駆動部
１０９  シャッタ駆動部
１１０  バス
１１１  メモリ
１１２  ＡＦロックスイッチ
１１３  デフォーカス演算部
１１４  表示制御装置
１１５  接触検知部
１１６  押圧検知装置
１１７  ＣＰＵ
１１８  カード入出力部
１１９  カードスロット
１２０  メモリカード
１２１  メインスイッチ
１２２  第１レリーズスイッチ
１２３  第２レリーズスイッチ
１２４  電源
１２５  振動制御装置
【図１】
2019192046.tif 000003
【図２】
2019192046.tif 000004
【図３】
2019192046.tif 000005